(57)【要約】      （修正有）【課題】従来の二層構造の書込型光記録媒体において生じ得る、一方の記録層が他方の記録層に比べて充分な信号振幅が得られないという問題を解消した光記録媒体を提供する。【解決手段】第１グルーブが形成された第１基板１１Ａ、前記第１基板１１Ａの第１グルーブ形成面上に形成された第１記録層２１Ａ、半透過性の第１反射層３１Ａ、中間層４Ａ、第２記録層２２Ａ、第２反射層３２Ａ、および第２グルーブが形成された第２基板１２Ａが、少なくとも順に配置されてなる構造を有する光記録媒体１において、前記第２記録層２２Ａと前記中間層４Ａとの間に熱伝導層５Ａを有し、前記第２記録層２２Ａと前記第２反射層３２Ａとの間に熱遮断層６Ａを有する光記録媒体１とする。【選択図】図２
2005115997.tif 000002
【特許請求の範囲】
【請求項１】
記録用、再生用または記録再生用のレーザ光を照射する側から順に、第１グルーブが形成された第１基板、前記第１基板の第１グルーブ形成面上に形成された第１記録層、半透過性の第１反射層、中間層、第２記録層、第２反射層、および第２グルーブが形成された第２基板が、少なくとも順に配置されてなる構造を有する光記録媒体であって、
前記第２記録層と前記中間層との間には、熱伝導層を有し、
前記第２記録層と前記第２反射層との間には、熱遮断層を有することを特徴とする光記録媒体。
【請求項２】
前記第１及び第２記録層が色素系材料により形成されており、前記熱伝導層がＡｌ２Ｏ３またはＡｌＮにより形成されており、前記熱遮断層がＺｎＳとＳｉＯ２とにより形成されていることを特徴とする請求項１に記載の光記録媒体。
【請求項３】
第１基板の第１グルーブ形成用面上に、色素系材料からなる第１記録層、半透過性の第１反射層を順に積層し、
第２基板の第２グルーブ形成面上に、第２反射層、熱遮断層、色素系材料からなる第２記録層、熱伝導層を順に積層し、
前記第１反射層と、前記熱伝導層とを向かい合わせ透過性の中間層を介して前記第１及び第２基板とを貼り合わせることを特徴とする光記録媒体の製造方法。
【発明の詳細な説明】
【技術分野】
【０００１】
本技術は、光記録媒体、およびその製造方法に関するものである。詳しく述べると本技術は、二層構造の書込み型光記録媒体、およびその製造方法に関する。
【背景技術】
【０００２】
従来より、各種情報を記録し、再生する記録媒体として、ＤＶＤ（digital versatile disc）等の光記録媒体が知られている。この光記録媒体として、一方の面側から情報が記録される層を一層有するシングルレイヤタイプの光記録媒体と、一方の面側から情報が記録される層を二層有するデュアルレイヤタイプの光記録媒体とが知られている。
【０００３】
この各光記録媒体のうち、デュアルレイヤタイプの光記録媒体は、情報が記録される層（以下、単に記録層という。）を二層有するため、高密度に大容量の情報を記録し、再生することができる。また、このデュアルレイヤタイプの光記録媒体は、一方の面側から二層の記録層に記録できるため、光記録媒体の記録・再生装置において、光記録媒体が設置される各面側に光学ピックアップを設けて、当該光学ピックアップを切り替えることを要しない。さらに、デュアルレイヤタイプの光記録媒体は、記録・再生時に、光記録媒体を反転することも要しない。そのため、デュアルレイヤタイプの光記録媒体は、いわゆるシームレス録画およびシームレス再生が可能となる。
【０００４】
このように、デュアルレイヤタイプの光記録媒体は、情報記録の機能に優れている、その記録・再生装置における構成が簡易である、シームレス録画・再生のために使用者はビデオ鑑賞等を中断されることがない、等の利点を有している。
【０００５】
このようなＤＶＤにおいては、ユーザーにおいて記録可能としたもの、いわゆるＤＶＤ−ＲやＤＶＤ−ＲＡＭも既に開発されている。
【０００６】
このうち、ＤＶＤ−Ｒの基本的構成は、ディスクの表面の情報記録領域に光学ピックアップのトラッキング手段であるスパイラル状の溝からなるプリグルーブが形成され、その上にスピンコート法等の手段で有機色素等の記録媒体が塗布され、乾燥されて記録層が形成され、その上に金属膜からなる反射層が形成されてなるものである。
【０００７】
さらに、例えば、特許文献１等には、デュアルレイヤタイプのＤＶＤ−Ｒ型光記録媒体として、図１に示すように、第１基板１１Ｂ、有機色素からなる第１記録層２１Ｂ、および半透過性の第１反射層３１Ｂ、から形成される第１ディスクと、第２基板１２Ｂ、第２反射層３２Ｂ、および第２記録層２２Ｂ、から形成される第２ディスクとを、第１反射層３１Ｂおよび第２記録層２２Ｂを対向させ、接着剤４Ｂ等を用いて貼り合わせた光記録媒体１０が開示されている。そして、この光記録媒体１０は、第１基板１１Ｂ側からレーザ光を照射して各記録層２１Ｂおよび２２Ｂに情報を記録するようになっている。
【特許文献１】特開平１１−６６６２２号公報
【発明の開示】
【発明が解決しようとする課題】
【０００８】
この両面貼り合わせタイプのデュアルレイヤ光記録媒体においては、図１を参照すると分かるように、第１基板１１Ｂに第１グルーブＧ１Ｂが形成されており、第１基板１１Ｂの第１グルーブＧ１Ｂ形成面上に第１記録層２１Ｂ、第１反射層３１Ｂが順に積層形成されている。一方、第２基板２１Ｂには、第２グルーブＧ２Ｂが形成されており、第２基板２１Ｂの第２グルーブＧ２Ｂ形成面上に第２反射層３２Ｂ、第２記録層２２Ｂが順に積層形成されている。従って、第１記録層２１Ｂと第１反射層３１Ｂとの接触面積に比して第２記録層２２Ｂと第２反射層３２Ｂとの接触面積の方が大となっている。
【０００９】
そうすると、この光記録媒体１０の第１基板１１Ｂ側からレーザ光を照射して第１グルーブＧ１Ｂ内の第１記録層２１Ｂ及び第２グルーブＧ２Ｂ内の第２記録層２２Ｂに情報を記録しようとした場合には、第１グルーブＧ１Ｂ内の第１記録層２１Ｂと、第２グルーブＧ２Ｂ内の第２記録層２２Ｂとでは、その熱的挙動が異なるため、各記録層に同一条件で記録を行うことができないといった問題があった。さらに具体的に説明すると、第２グルーブＧ２Ｂ内の第２記録層２２Ｂの方がレーザ光による熱変形などが起きにくく、従って、同一エネルギーを有するレーザ光を用いて、各グルーブに情報を記録しようとした場合には、第２グルーブＧ２Ｂの方が充分な信号振幅が得られない場合が生じ得たのである。
【００１０】
また、第１グルーブＧ１Ｂに接している第１基板１１Ｂと、第２グルーブＧ２Ｂに接している第２反射層３２Ｂの硬度を比較すると、通常の場合、第２反射層３２Ｂの方が硬く、そうすると、第２反射層３２Ｂとの境界面近傍では、やはりレーザ光による熱変形が起きにくく、その結果、前記と同様に、第２グルーブＧ２Ｂの方が第１グルーブＧ１Ｂに比べて充分な信号振幅が得られない場合があった。
【００１１】
本願は、この様な状況においてなされたものであり、従来の二層構造の書込型光記録媒体において生じ得る、一方の記録層が他方の記録層に比べて充分な信号振幅が得られないという問題を解消した光記録媒体を提供することを課題の一例とする。また、このような光記録媒体を簡単に製造することができる方法を提供することも課題の一例とする。
【課題を解決するための手段】
【００１２】
上記の課題を解決する請求項１に記載の技術は、記録用、再生用または記録再生用のレーザ光を照射する側から順に、第１グルーブが形成された第１基板、前記第１基板の第１グルーブ形成面上に形成された第１記録層、半透過性の第１反射層、中間層、第２記録層、第２反射層、および第２グルーブが形成された第２基板が、少なくとも順に配置されてなる構造を有する光記録媒体であって、前記第２記録層と前記中間層との間には、熱伝導層を有し、前記第２記録層と前記第２反射層との間には、熱遮断層を有することを特徴とする光記録媒体である。
【００１３】
また、上記課題を解決する請求項３に記載の技術は、第１基板の第１グルーブ形成用面上に、色素系材料からなる第１記録層、半透過性の第１反射層を順に積層し、第２基板の第２グルーブ形成面上に、第２反射層、熱遮断層、色素系材料からなる第２記録層、熱伝導層を順に積層し、前記第１反射層と、前記熱伝導層とを向かい合わせ透過性の中間層を介して前記第１及び第２基板とを貼り合わせることを特徴とする光記録媒体の製造方法である。
【発明を実施するための最良の形態】
【００１４】
以下、図面を参照しつつ、本願の光記録媒体について具体的に説明する。
【００１５】
図２は、本願の一実施形態に係る光記録媒体の一部分の厚さ方向断面図である。なお、図２においては、各層の厚は誇張して描かれている。
【００１６】
まず、本実施形態の光記録媒体の構成について説明する。
【００１７】
図２に示すように、本実施形態の光記録媒体１は、記録用、再生用または記録再生用のレーザ光を照射する側から、第１グルーブが形成された第１基板、前記第１基板の第１グルーブ形成面上に形成された第１記録層、半透過性の第１反射層、中間層、第２記録層、第２反射層、および第２グルーブが形成された第２基板が、この順に配置されている。そして、前記第２記録層２２Ａと前記中間層４Ａとの間には、熱伝導層５Ａを有し、前記第２記録層２２Ａと前記第２反射層３２Ａとの間には、熱遮断層６Ａを有することに特徴を有している。換言すれば、本願の光記録媒体１にあっては、第２記録層２２Ａが、熱伝導層５Ａと熱遮断層６Ａとに挟持されていると言える。
【００１８】
そして、このような光記録媒体１によれば、第１基板１１Ａ側からレーザ光を照射して各グルーブＧ１Ａ、Ｇ２Ａ内の各記録層に情報を記録しようとした場合であっても、第２グルーブＧ２Ａと第２反射層３２Ａとは直接に接触はしておらず、前述したように、当該第２グルーブＧ２Ａは前記熱伝導層５Ａと熱遮断層６Ａに挟持されているので、例えば、熱伝導層５Ａが第１グルーブＧ１Ａと接している第１反射層３１Ａと同じ熱特性を有し、一方熱遮断層６Ａが第１グルーブＧ１Ａと接している第１基板１１Ａと同じ熱特性を有するようにコントロールすることによって、第１グルーブＧ１Ｂと第２グルーブＧ２Ｂそれぞれの熱的挙動を同一とすることができ、その結果、第２グルーブＧ２Ａにおいてもレーザ光による熱変形を充分に生じさせることができ、各記録層とも同一の信号振幅を得ることができる。
【００１９】
このような本願の光記録媒体１における熱伝導層５Ａとしては、後述する熱遮断層６Ａと相まって第２グルーブＧ２Ａの熱的挙動を第１グルーブＧ１Ａのそれと同様にすることができる材質であれば特に限定されることはなく、熱遮断層６Ａとのバランスを考慮しながら任意に選択することが可能である。しかしながら、上述のように、当該熱伝導層５Ａを第１グルーブＧ１Ａと接している第１反射層３１Ａと同じ熱特性とし、後述する熱遮断層６Ａを第１グルーブＧ１Ａと接している第１基板１１Ａと同じ熱特性とすることが好ましく、そうすると、当該熱伝導層５Ａは、例えば、Ａｌ２Ｏ３またはＡｌＮにより形成することが好ましく、また後述する第１反射層３１Ａと同じ材質を用いることも好ましい。
【００２０】
また、熱伝導層５Ａの厚さについても、前記の作用効果を発揮することができる程度の厚さであれば特に限定されることはない。具体的には、１０〜１８０ｎｍ程度が好ましい。
【００２１】
一方、本願の光記録媒体１における熱遮断層６Ａとしても、前記熱伝導層５Ａと同様、熱伝導層５Ａと相まって第２グルーブＧ２Ａの熱的挙動を第１グルーブＧ１Ａのそれと同様にすることができる材質であれば特に限定されることはなく、熱伝導層５Ａとのバランスを考慮しながら任意に選択することが可能である。しかしながら、上述のように、当該熱遮断層５Ａを第１グルーブＧ１Ａと接している第１反射層３１Ａと同じ熱特性とした場合には、後述する熱遮断層６Ａを第１グルーブＧ１Ａと接している第１基板１１Ａと同じ熱特性とすることが好ましく、そうすると、当該熱遮断層６Ａは、例えば、ＺｎＳとＳｉＯ２により形成することが好ましく、また後述する第１基板１１Ａと同じ材質を用いることも好ましい。
【００２２】
また、熱遮断層６Ａの厚さについても、前記の作用効果を発揮することができる程度の厚さであれば特に限定されることはない。具体的には、１０〜１８０ｎｍ程度が好ましい。
【００２３】
第１基板１１Ａの材料としては、透明性の高い樹脂、例えば、記録用、再生用または記録再生用のレーザ光に対する光透過率が８０％以上、より好ましくは９０％以上の樹脂が用いられ、具体的には例えば、ポリカーボネート樹脂、ポリメチルメタクリレート等のアクリル系樹脂、ポリオレフィン系樹脂等が例示されるがこれらに限定されるものではない。
【００２４】
また、第１基板１１Ａの厚さは、光記録媒体１の規格に従うが、通常０．１〜０．６ｍｍである。すなわち、光記録媒体１が赤色レーザ用のＤＶＤ−Ｒディスクである場合には、第１基板１１Ａの厚さは０．６ｍｍであり、光記録媒体１が青色レーザ用ディスクである場合には、第１基板１１Ａの厚さは０．６ｍｍまたは０．１ｍｍである。なお、第１基板１１Ａは、円形で中心が空洞になった板状の形状のものが用いられる。
【００２５】
第１基板１１Ａの第１記録層２１Ａが形成される面には、第１グルーブが形成されている。このグルーブの形状は、通常、深さが１００〜１８０ｎｍ程度、幅が０．２５〜０．３５μｍ程度、ピッチが０．７〜０．９μｍ程度である。
【００２６】
また、このグルーブは、第１基板１１Ａの面方向からみて、螺旋状または同心円状に形成されている。さらに、グルーブは、所定の周期で半径方向に蛇行するようにしてもよい。以下において、このように蛇行したグルーブをウォブルグルーブという。さらにまた、各グルーブ間に位置するランドには、アドレス情報などを担うプリピットを所定間隔で形成することも可能である。
【００２７】
光学的に記録可能な第１記録層２１Ａの材料は、従来の光記録媒体の記録層に用いられている有機色素を用いればよく、特に限定されないが、例えば、アゾ化合物の錯体、シアニン色素、フタロシアニン色素等が用いられる。また、第１記録層２１Ａの厚さは、特に限定されないが、通常、５０〜１２０ｎｍである。
【００２８】
第１反射層３１Ａの材料は、金、アルミニウム、銀、銅等の金属や、これら金属からなる合金が用いられるがこれらに限定されるものではない。また、第１反射層３１Ａの厚さは、半透光性、すなわち、記録用、再生用または記録再生用のレーザ光をその光の波長によって透過させることも反射させることも可能な厚さとすれば特に限定されないが、通常、１０〜２０ｎｍ程度である。
【００２９】
第２基板１２Ａは、第１基板１１Ａと同様の材料、厚さ、形状のものが用いられる。
【００３０】
第２反射層３２Ａの材料は、上述の第１反射層３１Ａの材料と同様である。ただし、第２反射層３２Ａの材料は、第１反射層３１Ａのように半透光性とする必要はなく、また、第２反射層３２Ａの厚さは、記録再生用のレーザ光を全反射できる範囲において適宜選択され、例えば、５０ｎｍ以上とする。
【００３１】
光学的に記録可能な第２記録層２２Ａは、前記第１記録層２１Ａと同様の材料、厚さ、形状のものが用いられる。
【００３２】
また、透光性の中間層４Ａの材料は、特に限定されず、従来公知の材料を用いることができる。例えば、紫外線硬化性樹脂を用いることが好ましい。また、中間層４Ａの厚さは、特に限定されないが、通常、４０μｍ程度である。
【００３３】
なお、光記録媒体１は、図２に示される層構成に限定されず、上述の各層を有していれば、その他の各層を適宜設けることができる。
【００３４】
また、図２における光記録媒体１においては、第１グルーブＧ１Ａと第２グルーブＧ２Ａとが、トラッキングする方向に対して直交する方向において、同期するような（すなわち、互いに重なり合うような）位置に設けられている。しかしながら、第１記録層２１Ａの第１グルーブＧ１Ａと第２記録層２２Ａの第２グルーブＧ２Ａとの配置はこれに限定されず、この各グルーブの位置が位相差のある（すなわち、相互にずれた）位置としてもよい。
【００３５】
この光記録媒体１には、第１基板１１Ａ側から記録用レーザ光もしくは記録再生用レーザ光が照射され、第１記録層２１Ａの第１グルーブＧ１Ａとそのランド、および、第２記録層２２Ａの第２グルーブＧ２Ａとそのランドにピットが形成される。そして、同じく第１基板１１Ａ側から再生用レーザ光もしくは記録再生用レーザ光が照射され、第１記録層２１Ａおよび、第２記録層２２Ａに形成されたピット情報を読み出すものである。
【００３６】
また、光記録媒体１としては、例えば、いわゆるＤＶＤ−Ｒディスク、ＤＶＤ−ＲＷディスク等の記録・再生が可能なディスクが用いられ、記録の消去や書き替えの可否は特に限定されず、記録媒体としても上記したような有機色素以外に限定されることなく、その形式に応じた各種記録媒体を用いることが可能である。
【００３７】
以上説明したように、本願の光記録媒体１にあっては、第１基板１１Ａ側からレーザ光を照射して各記録層の各グルーブＧ１Ａ、Ｇ２Ａに情報を記録しようとした場合であっても、当該第２グルーブＧ２Ａは前記熱伝導層５Ａと熱遮断層６Ａに挟持されているので、例えば、熱伝導層５Ａが第１グルーブＧ１Ａと接している第１反射層３１Ａと同じ熱特性を有し、一方熱遮断層６Ａが第１グルーブＧ１Ａと接している第１基板１１Ａと同じ熱特性を有するようにコントロールすることによって、第１グルーブＧ１Ｂと第２グルーブＧ２Ｂそれぞれの熱的挙動を同一とすることができ、その結果、第２グルーブＧ２Ａにおいてもレーザ光による熱変形を充分に生じさせることができ、各記録層とも同一の信号振幅を得ることができる。
【００３８】
次に、本実施形態の光記録媒体１の製造方法について説明する。
【００３９】
本願の光記録媒体１は、第１基板１１Ａの片面に形成された第１グルーブ形成面に、記録媒体としての有機色素を積層形成して当該グルーブに追従した形状を呈する第１記録層２１Ａを形成し、次いで、第１記録層２１Ａ上に第１反射層３１Ａを積層し、その一方で、これとは別に、第２基板１２Ａの片面に形成された第２グルーブ形成面上に第２反射層３２Ａを積層し、次いで、第２反射層３２Ａ上に、熱遮断層６Ａを積層し、この熱遮断層６Ａ上に記録媒体としての有機色素を積層して前記第２グルーブに追従した形状を呈する第２記録層２２Ａを形成し、次いで、第２記録層２２Ａ上に熱伝導層５Ａを積層し、そして、前記第１反射層３１Ａと、前記熱伝導層５Ａとを透明中間層４Ａを介して張り合わせることにより製造される。
【００４０】
各工程を詳細に説明すると以下の通りである。
【００４１】
まず、スタンパを用いた樹脂の射出成形により、一方の面に上述の形状からなる第１グルーブが形成された上述の材料および厚さからなる第１基板１１Ａを形成する。
【００４２】
次いで、第１基板１１Ａの第１グルーブ形成面に、上述の材料および厚さからなる第１記録層２１Ａを形成する。この第１記録層２１Ａの形成方法は、特に限定されないが、通常、スピンコート法等が用いられる。具体的には、第１記録層２１Ａがスピンコート法により形成される場合には、上述の第１記録層２１Ａの材料を溶媒に溶解、分散させて塗工液とし、第１基板１１Ａ上にこの塗工液をスピンコートする。
【００４３】
なお、第１記録層２１Ａの材料として上述のアゾ化合物の錯体を用いる場合には、上述の塗工液の溶媒として、テトラフルオロプロパノールまたはオクタフルオロペンタノール等が用いられる。また、第１記録層２１Ａの材料として上述のシアニン色素を用いる場合には、上述の塗工液の溶媒として、エチルセルソルブまたはジメチルシクロヘキサン等が用いられる。
【００４４】
次いで、第１記録層２１Ａ上に、上述の材料および厚さからなる第１反射層３１Ａを形成する。この第１反射層３１Ａの形成方法は、特に限定されないが、通常、スパッタリング、蒸着法等が用いられる。
【００４５】
一方、スタンパを用いた樹脂の射出成形により、一方の面に上述の形状からなる第２グルーブが形成された上述の材料および厚さからなる第２基板１２Ａを形成する。
【００４６】
次いで、上述の材料および厚さからなる第２反射層３２Ａを形成する。この第２反射層３２Ａの形成方法は、前記と同様である。
【００４７】
次いで、第２反射層３２Ａ上に、前述の材料および厚さからなる熱遮断層６Ａを積層する。この熱遮断層６Ａの積層方法は、特に限定されることはなくスパッタ、蒸着などを用いることができる。
【００４８】
次いで、熱遮断層６Ａ上に、上述の材料および厚さからなる第２記録層２２Ａを形成する。この第２記録層２２Ａの形成方法は、前記第１記録層２１Ａと同様である。
【００４９】
次いで、第２記録層２２Ａ上に、上述の材料および厚さからなる熱伝導層５Ａを積層する。この熱伝導層５Ａの積層方法は、特に限定されることはなくスパッタ、蒸着などを用いることができる。
【００５０】
最後に、前記前記第１反射層３１Ａと、前記熱伝導層５Ａとを中間層４Ａを介して張り合わせる。当該中間層４Ａとしては、従来公知の接着剤等を使用することができる。
【００５１】
このようにして、本願にかかる光記録媒体１が製造される。
【００５２】
以上説明したような本実施形態に係る製造方法によれば、本願の光記録媒体１を従来の工程や装置そのままで簡便に形成することができる。
【図面の簡単な説明】
【００５３】
【図１】従来技術の光記録媒体の断面図である。
【図２】本願における実施形態の光記録媒体の断面図である。
【符号の説明】
【００５４】
１、１０    光記録媒体
１１Ａ、１１Ｂ    第１基板
１２Ａ、１２Ｂ    第２基板
２１Ａ、２１Ｂ    第１記録層
２２Ａ、２２Ｂ    第２記録層
３１Ａ、３１Ｂ    第１反射層
３２Ａ、３２Ｂ    第２反射層
４Ａ、４Ｂ    中間層
５Ａ    熱伝導層
６Ａ    熱遮断層
【図１】
2005115997.tif 000003
【図２】
2005115997.tif 000004